Podtech/llm-jp-corpus-v4-ja_patent huggingface dataset:
(57)【要約】【課題】  格別の味噌を用い、製造工程にも工夫を凝らした豆腐の味噌漬とする。【解決手段】  豆腐にテンペ菌又は／及びオンジョム菌を添加すると共に、低塩味噌に漬け込んで豆腐を発酵させた豆腐の味噌漬である。水切りをした豆腐又は堅豆腐にテンペ菌又は／及びオンジョム菌を加え、更に低塩味噌に漬け込み、１５℃以下の環境で６ケ月以上発酵させたことを特徴とする。【選択図】  なし【特許請求の範囲】
【請求項１】
豆腐にテンペ菌又は／及びオンジョム菌を添加すると共に、低塩味噌に漬け込んで発酵させたことを特徴とする豆腐の味噌漬。
【請求項２】
豆腐が堅豆腐である請求項１記載の豆腐の味噌漬。
【請求項３】
水切りをした豆腐にテンペ菌又は／及びオンジョム菌を添加して発芽させ、更に低塩味噌に漬け込み、１５℃以下の環境で６ケ月以上発酵させたことを特徴とする豆腐の味噌漬の製造方法。
【請求項４】
水切りをした豆腐の代わりに堅豆腐を用いた請求項３記載の豆腐の味噌漬の製造方法。
【発明の詳細な説明】
【技術分野】
【０００１】
本発明は、豆腐の味噌漬及びその製造方法に関するものである。
【背景技術】
【０００２】
従来の味噌漬けに関する先行技術として、豆腐を味噌に漬け、その後燻蒸処理をしたものが開示されている。
又、民間料理にも豆腐の味噌漬けと称するものが存在する。
【特許文献１】特開平０７ー２８９１９５
【発明の開示】
【発明が解決しようとする課題】
【０００３】
上記特開平０７ー２８９１９５では、水切り後の豆腐を布に挟んで１２〜２４時間程度味噌に漬けるものであり、又民間料理では水切りをした豆腐の周囲に味噌を塗り付けて、１日程度置いて味噌漬けの豆腐を得るのである。
すなわち、通常の味噌を用いて、豆腐の形態を崩さぬように短い日数で漬け、食する時は、付着した味噌を除いて豆腐のみ食するものであり、豆腐と味噌が夫々の形態を維持しているのである。
【０００４】
そこで、本発明は格別の味噌を用い、製造工程にも工夫を凝らした豆腐の味噌漬とすると共に、味噌との関係をより緊密なものとしたものを提供せんとするものである。
【課題を解決するための手段】
【０００５】
本発明は、豆腐にテンペ菌又は／及びオンジョム菌を添加すると共に、低塩味噌に漬け込んで発酵させて味噌漬としたものであり、豆腐に堅豆腐を用いてもよい。  
又、製造方法の発明は、水切りをした豆腐又は堅豆腐にテンペ菌又は／及びオンジョム菌を添加して発芽させ、更に低塩味噌に漬け込み、１５℃以下の環境で６ケ月以上発酵させたことを特徴とするものである。
【０００６】
本発明は、低塩味噌を用いて豆腐を漬け込んだため、塩分の摂取が多過とならず、テンペ菌又はオンジョム菌も存在するため、発酵作用を促進させると共に独特の味覚となるものである。
【０００７】
又、製造方法において、豆腐を味噌に漬けることによってテンペ菌又は／及びオンジョム菌と共に有用微生物による発酵作用が進み、１５℃以下の環境としたため細菌の発生を防止し、味噌の塩分が低いため長期間の漬け込みが可能となるものである。
【発明の効果】
【０００８】
以上のように、本発明は従来の豆腐の味噌漬けと異なり、より発酵の進んだ豆腐となるのであり、味も豆腐と味噌がテンペ菌又は／及びオンジョム菌が融合した独特のものとなる。
低塩分味噌を使用しているため塩分の摂取が多過と成らず、味噌を充分に滲み込まし又は味噌ともども食しても問題がない。
低温下で漬け込んであるため細菌の発生の虞れがなく、長期間の漬け込みが可能となり、豆腐内に味噌が充分に浸透し、発酵が促進されて融合するため、味噌と同様に長期保存が可能となる等の効果を有するものである。
【発明を実施するための最良の形態】
【０００９】
本発明の一実施の形態を説明する。
先ず、用意する豆腐は、木綿豆腐、絹ごし豆腐或いは充填豆腐の任意の豆腐を選択でき、公知の適宜手段で水切りを行って水分を搾り出す。水切りした豆腐の含有水分は少なく、かつ堅さも堅くするほど好ましい。
又、一般に堅豆腐（例えば、石川県石川郡白峰村で製造する堅豆腐）と言われる豆腐を利用することもできる。
【００１０】
次に、豆腐にテンペ菌又は／及びオンジョム菌を添加し、３０℃前後の環境下で１〜２日置くことで、豆腐表面にテンペ菌又は／及びオンジョム菌が発芽し、発酵を始めるのである。
テンペ菌又は／及びオンジョム菌の添加量は適宜増減できる。
【００１１】
味噌は低食塩味噌を用いる。通常の味噌は食塩が１２％程度含んでいるが、選択する低食塩味噌はその半分の６％以下のものとする。
そして、漬け込みは低食塩味噌を充填した容器内にテンペ菌又は／及びオンジョム菌を接種した水切り豆腐（又は堅豆腐）が充分に浸漬される状態に埋め、１５℃を越えない低温の環境で６ケ月間は置いておき、豆腐の味噌漬食品を得るものである。
【００１２】
味噌の塩分が低いため有用微生物の働きが活発となり、テンペ菌又は／及びオンジョム菌も加わり、酵素の作用が円滑に進行するのであり、又浸漬期間が長いため豆腐内に味噌味が充分に浸透し融合するのである。
【００１３】
したがって、従来の同種豆腐のように、豆腐の明らかな形態がそのまま維持され、豆腐表面に付着した味噌を取り除いて、表層面に味噌味が付加された状態のものと異なり、豆腐内に味噌が浸透し一体融合し、酵素により発酵した状態と成り、テンペ菌等の淡泊な味の豆腐の味噌漬となるのである。
(57)【要約】【課題】本発明は、積層体を一対の抑え板とボルトで締結することにより、耐振動性の高いロータ構造を得ることを目的とする。【解決手段】本発明によるロータ構造は、回転軸(1)に設けたロータ(4)の積層体(6)の両端に配設した一対の抑え板(7、8)をボルト(10)で締結することにより、ロータ(4)の耐振動性を向上させる構成である。【選択図】図１
2005073332.tif 000002
【特許請求の範囲】
【請求項１】
回転軸(1)に多数の輪状ロータ片(5)を積層させて積層体(6)を構成するロータ構造において、
前記積層体(6)の両端に非磁性体からなる一対の第１、第２抑え板(7、8)を設け、前記第１抑え板(7)及び積層体(6)を貫通して設けられた棒体(10)の先端部(10a)を前記第２抑え板(8)に固定するようにした構成よりなることを特徴とするロータ構造。
【請求項２】
前記棒体(10)はボルトからなり、前記ボルトの先端のねじ部(10b)が前記第２抑え板(8)のねじ孔(8a)に螺入されていることを特徴とする請求項１記載のロータ構造。
【発明の詳細な説明】
【技術分野】
【０００１】
本発明は、ロータ構造に関し、特に、回転軸に積層した輪状ロータ片からなる積層体を一対の抑え板で抑えることにより、耐振動性を向上させるための新規な改良に関する。
【背景技術】
【０００２】
従来のモータのロータ構造としては、積層鉄芯を構成する輪状ロータ片を接着剤で互いに接着させて構成させており、社内製作であるため、特に、その構成を示す特許文献等は開示していない。
【発明の開示】
【発明が解決しようとする課題】
【０００３】
従来のロータ構造は、以上のように構成されていたため、次のような課題が存在していた。
すなわち、輪状ロータ片を積層するために、接着等によって各輪状ロータ片を固定していたため、自動車に搭載するモータに適用した場合には、耐振動性が十分ではなく、十分な動力特性を発揮することが困難であった。
【課題を解決するための手段】
【０００４】
本発明によるロータ構造は、回転軸に多数の輪状ロータ片を積層させて積層体を構成するロータ構造において、前記積層体の両端に非磁性体からなる一対の第１、第２抑え板を設け、前記第１抑え板及び積層体を貫通して設けられた棒体の先端部を前記第２抑え板に固定するようにした構成であり、また、前記棒体はボルトからなり、前記ボルトの先端のねじ部が前記第２抑え板のねじ孔に螺入されている構成である。
【発明の効果】
【０００５】
本発明によるロータ構造は、以上のように構成されているため、次のような効果を得ることができる。
すなわち、積層された多数の輪状ロータ片からなる積層体を一対の抑え板で挟持し、各抑え板間をボルトで締結しているため、振動の大きい自動車用等に採用した場合も、高い耐振動性を発揮し、安定した動力特性を得ることができる。
【発明を実施するための最良の形態】
【０００６】
本発明において、各輪状ロータ片を積層してなる積層体を一対の抑え板で挟持して棒体（ボルト）で締結することにより、高い耐振動性を発揮することができる。
【実施例】
【０００７】
以下、図面と共に本発明によるロータ構造の好適な実施の形態について説明する。
図１において符号１で示されるものは、回転軸であり、この回転軸１の中央部に形成された取付部２には、その一端に鍔部３が形成されている。
【０００８】
前記取付部２には、輪状のロータ４が嵌合して設けられており、このロータ４は、多数の輪状ロータ片５を接着剤で一体状に接着して形成した積層体６と、この積層体６の両端に設けられ非磁性材からなる一対の第１、第２抑え板７、８と、この第１抑え板７の貫通孔７ａ及び積層体６の貫通孔６ａを貫通し、前記第２抑え板８のねじ孔８ａに先端部１０ａのねじ部１０ｂが螺入するボルト１０とから構成され、このボルト１０の締結によって前記積層体６は前記各抑え板７、８により挟持されて締結されている。
【０００９】
尚、前述のロータ４は、ロータ４としてボルト１０で締結して完成されたものを回転軸１の取付部２に嵌入する場合と、第１抑え板７、積層体６及び第２抑え板８の順に前記取付部２に嵌入させ、最後にボルト１０で各抑え板７、８間を締結するように構成することもできる。
【００１０】
また、前述のボルト１０は、ボルトの代わりに、通常の棒体を用い、この棒体の両端をカシメ等によって各抑え板７、８に係合させることにより、積層体６と各抑え板７、８とを一体状に構成させることもできる。
【産業上の利用可能性】
【００１１】
本発明によるロータ構造は、積層体を一対の抑え板で締結しているため、モータに限らず、レゾルバ、シンクロ等の他の回転検出器のロータ構造にも適用ができる。
【図面の簡単な説明】
【００１２】
【図１】本発明によるロータ構造を示す断面図である。
【符号の説明】
【００１３】
１    回転軸
２    取付部
４    ロータ
５    輪状ロータ片
６    積層体
７    第１抑え板
８    第２抑え板
８ａ    ねじ孔
１０    ボルト（棒体）
【図１】
2005073332.tif 000003
(57)【要約】      （修正有）【課題】飛沫・空気感染を防止するのに効果的で息苦しさを抑えたマスクの提供。【解決手段】光触媒性酸化チタン粒子に金属銀微粒子を担持させた複合粒子をマスク本体部に定着させた。【選択図】  図２
2005073949.tif 000002
【特許請求の範囲】
【請求項１】
光触媒性酸化チタン粒子に金属銀微粒子を担持させた複合粒子をマスク本体部に定着させたことを特徴とする抗菌・殺菌力に優れたマスク。
【請求項２】
マスク本体をベース部とインナー部とで構成し、光触媒性酸化チタン粒子に金属銀微粒子を担持させた複合粒子を、前記インナー部に定着させたことを特徴とする抗菌・殺菌力に優れたマスク。
【発明の詳細な説明】
【技術分野】
【０００１】
本発明はＳＡＲＳ（重症急性呼吸器症候群）感染防止等、飛沫感染や空気感染を引き起こすような病原菌の感染防止に効果的なマスクに関する。
【背景技術】
【０００２】
ＳＡＲＳ（重症急性呼吸器症候群）は、ＳＡＲＳコロナウィルスによる感染症と言われている。
このようなウィルスは非常に小さい微粒子なので、マスクによる感染予防を図るには、０．３μｍの微粒子をカットするような非常に細かい目のマスクでなければならない。
しかし、このようなフィルター効果のみによるマスクではすぐに目がつまり、息苦しくなり頻繁に取り替えなければならなかった。
【０００３】
特開２０００−２０２０５２号公報には、マスク素地に酸化チタンなどの光触媒体を浸漬あるいは噴霧塗布した光触媒衛生マスクが開示されている。
確かに酸化チタンに紫外線が照射されると正孔と電子が生じ、このエネルギーギャップが酸化チタン表面の吸着水（Ｈ２Ｏ）や吸着酸素（Ｏ２）等と反応してラジカルや活性アニオンを発生させるので、これらのラジカル等が抗菌・殺菌作用があるとされている。
しかし、マスクにおいては人間が呼吸する鼻や口を覆うものであるから、極めて短時間で強い殺菌力が要求されるのに、酸化チタンだけでは正孔と電子の再結合の割合が多く、安定したラジカル等が得られない問題があった。
【０００４】
一方、銀陽イオンが優れた殺菌力を有していることも公知である。
しかし、銀陽イオンの活性も寿命が短く安定した活性を維持することは困難とされていた。
【０００５】
【特許文献１】特開２０００−２０２０５２号公報
【発明の開示】
【発明が解決しようとする課題】
【０００６】
本発明は上記従来技術に有する技術的課題に鑑みて、飛沫・空気感染を防止するのに効果的で息苦しさを抑えたマスクの提供を目的とする。
【課題を解決するための手段】
【０００７】
本発明は上記目的を達成するために、光触媒性酸化チタン粒子に金属銀微粒子を担持させた複合粒子をマスク本体部に定着させたものである。
通常、マスクは鼻と口を覆う部分の他に耳ひも等が備えられているが、ここでマスク本体部とは鼻及び口を覆う部分という意味である。
マスク本体部は、紙、ガーゼ、布、綿製生地、不織布、発泡性樹脂生地等の各種素材が生地として採用される。
また、マスク本体部をいわゆるガーゼマスクのようにベース部とインナー部とで構成した場合に、光触媒性酸化チタン粒子に金属銀微粒子を担持させた複合粒子をこのインナー部に定着させるとよい。
【０００８】
本発明は、光触媒性酸化チタン粒子の表面に微粒子の金属銀を担持させると紫外線照射により酸化チタン表面に発生した電子が金属銀側に引き寄せられ、正孔との再結合が減少し、吸着水（Ｈ２Ｏ）や吸着酸素（Ｏ２）と速やかに反応して、安定したラジカルや活性アニオンが得られるとともに、これらのラジカルが生じることにより非常に活性な銀イオンが生じることに着目したものである。
【発明の効果】
【０００９】
本発明においては、マスク本体部に光触媒性酸化チタン粒子に微粒子の金属銀を担持させた複合粒子を定着させたことにより、酸化チタン粒子表面にて発生するラジカル反応等により銀イオンの活性が促進され、単なる従来の銀イオンとは比較にならない大きな殺菌力が生じ、一方、酸化チタンにより生じるラジカルの銀による安定化により菌に対する抗菌作用及び分解解毒作用が促進されるので非常に抗菌・殺菌力の高いマスクが得られる。
また、これにより０．３μｍという微粒子のフィルター機能を主体に製作されていた従来の感染防止マスクに比較すると、本発明におけるマスクは病原菌を複合粒子で積極的に捕捉できるので、フィルターとしての微粒子捕捉素材の目を従来より大きく設定出来るので息苦しさが改善される。
【発明を実施するための最良の形態】
【００１０】
図１に示すマスクの例は、本体部１に耳ひも２が取り付けられ、本体部１に直接、本発明に係る複合粒子をバインダー等にて定着させた例である。
本体部１の外周部１ｂはマスクの形状をある程度維持するように形成され、必要に応じて鼻にフィットするように鼻部１ａが形成されている。
【００１１】
図２に示すマスクの例は、ガーゼ１１ａ、１１ｂ等を縫い合わせてベース部１１を形成し、その内側にインナー部１２を挟み込むタイプの例である。
ここでインナー部１２は、フィルターとしての微粒子捕捉素地のものに複合粒子を定着させてもよく、また、インナー部を２枚以上に分け、微粒子捕捉用と、複合粒子を定着させた抗菌・殺菌用に分けて製作してベース部に入れてもよい。
【００１２】
マスク本体部あるいはインナー部に定着させる複合粒子は細かい程、不織布等に定着しやすくよい。
酸化チタン粒子は理想的には０．１μｍ以下が望ましく、金属銀はこの酸化チタン表面に担持させるもので更に微粒子となる。
例えば、銀イオンをキレート化させた溶液にアナターゼ型結晶構造の酸化チタン粒子を分散混合し、還元剤を添加すると超微粒子の金属銀が酸化チタン粒子表面に付着する。
このようにして得られた複合粒子をバインダーとともに分散させた溶液に不織布等のマスク用生地を浸漬して定着させるか、あるいはマスク用生地にスプレー塗布等により定着させるとよい。
【図面の簡単な説明】
【００１３】
【図１】本発明に係るマスクの例を示す。
【図２】他のマスクの例を示す。
【符号の説明】
【００１４】
１    マスク本体部
２    耳ひも
１１  マスクベース部
１２  インナー部
【図１】
2005073949.tif 000003
【図２】
2005073949.tif 000004
(57)【要約】【課題】手軽に、唐辛子入りしょうゆの生み出す独特の味わいを味わえること、およびこれを用いた加工食品を提供する。【解決手段】唐辛子としょうゆ、さらにうまみ調味料を、用途に応じた混合比率において混合する。【選択図】なし【特許請求の範囲】
【請求項１】
全体に対し０％をこえ、１００％未満の量の、へたを取りのぞいた唐辛子を、しょうゆに入れることを特徴とする、唐辛子入りしょうゆ。
【請求項２】
請求項１に記載の唐辛子入りしょうゆに、うまみ調味料が均一に混ぜ合わされていることを特徴とする唐辛子入りしょうゆ。
【請求項３】
請求項１〜２のいずれかに記載の唐辛子入りしょうゆを用いた加工食品。
【発明の詳細な説明】
【発明の詳細な説明】
【技術分野】
【０００１】本発明は、唐辛子入りしょうゆおよびこれを用いた加工食品。
【背景技術】
【０００２】唐辛子、しょうゆさらにうまみ調味料がそれぞれ食品に加えられていて、それらを混ぜ合わせたものを一度に食品に加えるということがなかった。
【発明が解決しようとする課題】
【０００３】そこで本発明の目的は、手軽に唐辛子としょうゆさらにうまみ調味料で味つけおよび、これを用いた加工食品を提供することである。
【課題を解決するための手段】
【０００４】あらかじめ、しょうゆにうまみ調味料を均一に混ぜ合わせ唐辛子を入れておくことでできる食品である。
【発明の実施の実態】
【０００５】以下本発明を説明する。容器に入っているしょうゆにうまみ調味料を均一に混ぜ合わせ、その中に唐辛子を入れる。混合比率は用途によってさまざまである。
【０００６】本発明の「唐辛子」は、唐辛子の風味を有するものであればいずれのものでもよく、例えば、生唐辛子、乾燥唐辛子、粉唐辛子、赤唐辛子、青唐辛子等が挙げられる。
【０００７】本発明の「しょうゆ」はしょうゆの風味を有するものであればいずれのものでもよく、例えば、魚しょう、ナンプラー、ニョクマム、パティス、しょっつる等が挙げられる。
【０００８】本発明の「うまみ調味料」は、うまみ成分を含有するものであればいずれのものでもよく、例えば、化学調味料、魚介エキス、貝エキス、肉エキス、野菜エキス、果物エキス、しいたけエキス、海草エキス等が挙げられる。
【０００９】混合比率の例として、しょうゆ５０ｃｃに化学調味料を小さじ２杯、赤唐辛子を５本が挙げられる。
【００１０】唐辛子入りしょうゆは、湿気をさけ、冷暗所で保管する。
【発明の効果】
【００１１】唐辛子入りしょうゆが生み出す独特の味わいを手軽に味わえ、幅広い世代に好まれるだろう。焼き肉、しゃぶしゃぶ、天ぷら等につけて、炒めもの、煮こみ料理等の調理中等多目的に使用できる。
(57)【要約】【課題】手軽に、唐辛子入りマヨネーズの生み出す独特の味わいを味わえること、およびこれを用いた加工食品を提供する。【解決手段】唐辛子とマヨネーズ、さらにうまみ調味料を、用途に応じた混合比率において混合する。【選択図】なし【特許請求の範囲】
【請求項１】
全体に対し０％をこえ、１００％未満の量の、へたを取りのぞいた唐辛子とうまみ調味料を混ぜてすりつぶし、さらにマヨネーズを均一に混ぜ合わせていることを特徴とする、唐辛子入りマヨネーズ。
【請求項２】
全体に対し０％をこえ、１００％未満の量の、へたを取りのぞいた唐辛子とマヨネーズを均一に混ぜ合わせていることを特徴とする、唐辛子入りマヨネーズ。
【請求項３】
請求項１〜２のいずれかに記載の唐辛子入りマヨネーズを用いた加工食品。
【発明の詳細な説明】
【発明の詳細な説明】
【技術分野】
【０００１】本発明は、唐辛子入りマヨネーズおよびこれを用いた加工食品
【背景技術】
【０００２】唐辛子、マヨネーズさらにうまみ調味料がそれぞれ食品に加えられていて、それらを混ぜ合わせたものを、一度に食品に加えるということがなかった。
【発明が解決しようとする課題】
【０００３】そこで本発明の目的は、手軽に唐辛子とマヨネーズさらにうまみ調味料で味つけおよび、これを用いた加工食品を提供することである。
【課題を解決するための手段】
【０００４】あらかじめ、唐辛子とマヨネーズさらにうまに調味料を混ぜ合わせておくことでできる食品である。
【発明の実施の実態】
【０００５】以下本発明を説明する。唐辛子とうまみ調味料をすりばちやすりこぎ等で混ぜ合わせ、すりつぶす。さらにそれにマヨネーズを入れ混ぜ合わせる。混合比率は用途によってさまざまである。
【０００６】本発明の「唐辛子」は、唐辛子の風味を有するものであればいずれのものでもよく、例えば、生唐辛子、乾燥唐辛子、粉唐辛子、赤唐辛子、青唐辛子等が挙げられる。
【０００７】本発明の「マヨネーズ」は、マヨネーズの風味を有するものであればいずれのものでもよく、例えば、マヨネーズ、タルタルソース等が挙げられる。
【０００８】本発明の「うまみ調味料」は、うまみ成分を含有するものであればいずれのものでもよく、例えば、化学調味料、魚介エキス、貝エキス、肉エキス、野菜エキス、しいたけエキス、果物エキス、海草エキス等が挙げられる。
【０００９】混合比率の例として、赤唐辛子３本にマヨネーズを大さじ２杯、化学調味料を小さじ２杯が挙げられる。
【００１０】唐辛子入りマヨネーズは、湿気をさけ、冷暗所で保管する。
【発明の効果】
【００１１】唐辛子入りマヨネーズが生み出す独特の味わいを手軽に味わえ、幅広い世代に好まれるだろう。焼き肉、しゃぶしゃぶ、野菜、パン等につけて、ピザ、サンドイッチ、グラタン、ドレッシング、パスタ、ドリア等の調理等多目的に使用できる。
(57)【要約】【課題】手軽に、唐辛子入り塩の生み出す独特の味わいを味わえること、およびこれを用いた加工食品を提供する。【解決手段】唐辛子と塩、さらにうまみ調味料を、用途に応じた混合比率において混合する。【選択図】なし【特許請求の範囲】
【請求項１】
全体に対し０％をこえ、１００％未満の量の、へたを取りのぞいた唐辛子と塩を混ぜてすりつぶし、均一に混ぜ合わされていることを特徴とする、唐辛子入り塩。
【請求項２】
請求項１に記載の唐辛子入り塩に、うまみ調味料が均一に混ぜ合わされていることを特徴とする唐辛子入り塩。
【請求項３】
請求項１〜２のいずれかに記載の唐辛子入り塩を用いた加工食品。
【発明の詳細な説明】
【発明の詳細な説明】
【技術分野】
【０００１】本発明は、唐辛子入り塩およびこれを用いた加工食品。
【背景技術】
【０００２】唐辛子、塩さらにうまみ調味料がそれぞれ食品に加えられていて、それらを混ぜ合わせたものを、一度に食品に加えるということがなかった。
【発明が解決しようとする課題】
【０００３】そこで本発明の目的は、手軽に唐辛子と塩さらにうまみ調味料で味つけおよび、これを用いた加工食品を提供することである。
【課題を解決するための手段】
【０００４】あらかじめ、唐辛子と塩さらにうまみ調味料を均一にすりつぶし、混ぜ合わせておくことでできる食品である。
【発明の実施の実態】
【０００５】以下本発明を説明する。唐辛子、塩さらにうまみ調味料をすりばちやすりこぎ等で混ぜ合わせ、均一にすりつぶす。混合比率は用途によってさまざまである。
【０００６】本発明の「唐辛子」は、唐辛子の風味を有するものであればいずれのものでもよく、例えば、生唐辛子、乾燥唐辛子、粉唐辛子、赤唐辛子、青唐辛子等が挙げられる。
【０００７】本発明の「塩」は、塩の風味を有するものであればいずれのものでもよく、例えば、精製塩、岩塩、天日塩等が挙げられる。
【０００８】本発明の「うまみ調味料」は、うまみ成分を含有するものであればいずれのものでもよく、例えば、化学調味料、魚介エキス、貝エキス、肉エキス、野菜エキス、しいたけエキス、果物エキス、海草エキス等が挙げられる。
【０００９】混合比率の例として、赤唐辛子３本に塩を大さじ２杯、化学調味料を小さじ２杯が挙げられる。
【００１０】唐辛子入り塩は、湿気をさけ、冷暗所で保管する。
【発明の効果】
【００１１】唐辛子入り塩が生み出す独特の味わいを手軽に味わえ、幅広い世代に好まれるだろう。焼き肉、しゃぶしゃぶ、天ぷら等につけて、炒めもの、煮こみ料理等の調理中等多目的に使用できる。
(57)【要約】      （修正有）【課題】従来は鳥よけグッズとして目玉マーク、鏡、カラスの空気袋があるが、慣れれば効果が少い。そこで動かしてみてカラスが来たときに急にバサーッと変化しておどかせばカラスは笑って逃げるという寸法です。【解決手段】黒い羽根を取り付けた鏡面仕上げフィルムシート製の回転凧を用いる。風の力を借りる場合と、借りない場合があって借りる場合は急におどかせるが、いつかは風が吹くから、止まっているときでも回転体の位置表示は変っているので役立つ。【選択図】図３
2005073694.tif 000002
【特許請求の範囲】
【請求項１】
回転凧の表に、タバコの火などでいじめた黒い羽根とネットを布両面テープではり、その上に八角形の一点からわかれる切目を各辺まで入れたもののシルバー・フィルム鏡面仕上シート。
【請求項２】
針金とポリエチレンシートでできた回転凧をまるい大きな発泡スチロール板を設け、その中心を針金で通し、表と裏にボタンではさみこみ、さらにそれと合体して発泡スチロール円板の端から近いところに、針金の棒をストローの部品の中に入れ、輪ゴムで、小さな発泡スチロールの棒状片のローラーを歯車の歯の役目をするものをつくる。このとき角に切目をカッターで入れ輪ゴムがくいこんでづれないようにする。
【請求項３】
輪ゴムと丸棒の中心の針金延長上に風力計の回転に似た、針金を芯棒がクロスしてぶらさげたときカップ（Ｏ、Ｐ、Ｓのカップ）にシルバー・フィルム鏡面仕上をはりそれを垂直に横向きにつけた回転体が水平にまわる。さらにオモリとなってローラーが大きな発泡スチロール板をゆっくり回転させる。
【発明の詳細な説明】
【発明の詳細な説明】
〔発明の属する技術分野〕
【０００１】鳥よけグッズの部類
〔従来の技術〕
【０００２】目玉マークとか、鏡だとか、ハネがまわってもやっぱり目玉マークとかトラのシマ模様とがあるが、いずれも慣れてしまえば効果がうすい。
〔発明が解決しようとする課題〕
【０００３】風力計的な回転体が回転すると同時に輪ゴムで巻いたローラーに対してオモリとなるため、ローラーが回転して大きな発泡スチロール円板をゆっくり回転させ、回転凧の一番表側の一点から放射上に分れた状態の一点が一番上に来たとき、シルバー・フィルム鏡面仕上がライオンのたてがみのように自重でオドロオドロして回転体の外に向って広がり、中味のネット、たばこの火その他でいじめられた黒い羽根（もしくはカラスの羽根）がバサッと急に表われたり、また回転が進めば元通り、シルバー・フィルムでかくれたりする。
〔課題を解決するための手段〕
【０００４】風力でローラーが回転し、それによって大きな発泡スチロール板がゆっくり回りシルバー・フィルムがわれて穴のあいたいじめたカラス羽根もしくは黒い羽根がネット中にあらわれてバサッと急にカラスをおどかす。
〔発明の実施の形態〕
【０００５】輪ゴムでまいた小ローラーが、風力計に似た、水平に回転する回転体を、垂直に回転する発泡スチロール大円板に回転移動することにより、表側の表面のシルバー・フィルムが切目で割れて、中味のネットにおさまったいじめたタバコの火で穴のあいたカラスの羽根もしくは、他の黒い羽根のいじめたものを急にあらわすことのできる回転板によるもの。
〔実施例〕
【０００６】一番下にぶらさげられた、風力計に似た回転体によって、その重みにより、小ローラーが、大円板に密着して１００％大円板をゆっくり回転さすことができる。
その結果、シルバー・フィルムが一点を中心にして切目のあるものが、自分自身の重みでライオンのタテガミのように、バサッと急に、中味の、タバコの火でいじめられたカラスの羽根とネットがあらわれてカラスをおどろかす。
〔発明の効果〕
【０００７】風力回転体は水平に回るが、小ローラーの働きによって発泡スチロールの大円板は垂直に回転し、ゆっくりなので、布目の集まる一点が上に来たとき自重でバサッと広がりカラスをおどかしてカラスよけになる回転凧となる。
【図面の簡単な説明】
【図１】カラスよけの回転凧を正面からみた正面図
【図２】回転凧の側面図
【図３】回転凧が回転し、切れ目の元になる一点から自重でさがったときの斜視図
【図１】
2005073694.tif 000003
【図２】
2005073694.tif 000004
【図３】
2005073694.tif 000005
(57)【要約】【課題】魚の警戒感を和らげて食いつきを良好にするとともに、魚信に敏感に反応できる天秤を提供する。【解決手段】釣り用天秤１は、針金等の一本の弾力性のある線材を逆Ｌ字形状に屈曲してなるものであり、第１線材２と、屈曲部３を介して第１線材２に直交する第２線材４とを備えている。第１線材２の自由端部には錘５を取り付ける環状の錘取付部６、第２線材４の自由端部に仕掛け７を取り付ける環状の仕掛取付部８をそれぞれ設け、屈曲部３に道糸部９を取り付ける取付穴１０を有することを特徴とするものである。【選択図】図１
2005073676.tif 000002
【特許請求の範囲】
【請求項１】
一の弾力性のある線材を逆Ｌ字形状に屈曲してなり、
一端部に錘取付部、他端部に仕掛取付部をそれぞれ設け、
前記屈曲された線材の部分に道糸部を取り付ける取付穴を有することを特徴とする釣り用天秤。
【発明の詳細な説明】
【技術分野】
【０００１】
本発明は、道糸と仕掛けの絡みを防止する、投げ釣り、船釣り等において使用する釣り用天秤に関する。
【背景技術】
【０００２】
投げ釣りなどにおいては、鉤素を遠投するため、糸伸びして魚信をとらえ難いので、微妙な魚信を捉え易くするために、道糸と鉤素との間に天秤を接続して使用することが多い。このような天秤には、特許文献１〜１４に示す通り、Ｌ字形、ジェット形などの種々の形状のものが知られており、また、機能的にも糸遊動タイプ、ロッド遊動タイプ等の様々のものがある。
【特許文献１】特開昭５５−１３８３５１号公報
【特許文献２】実開昭５６−１５０３８２号公報
【特許文献３】特開昭５８−５１８２９号公報
【特許文献４】特開昭５９−５０２７０号公報
【特許文献５】特開昭６０−１０４６０号公報
【特許文献６】特開昭６２−６４２８３号公報
【特許文献７】特開昭６３−１１９３６４号公報
【特許文献８】特開平３−９１６７号公報
【特許文献９】実開平６−４５４６２号公報
【特許文献１０】特開平６−１６９６７３号公報
【特許文献１１】実用新案登録第３０４４１５９号公報
【特許文献１２】実用新案登録第３０４９７９１号公報
【特許文献１３】特開２０００−５０７７５公報
【特許文献１４】特開２００２−７８４３６公報
【発明の開示】
【発明が解決しようとする課題】
【０００３】
しかしながら、従来公知の天秤は、天秤棒の中間部に錘を接続しているため、魚が餌に食いついたときに、抵抗感があり、魚に警戒感を起こさせるという問題がある。
【０００４】
本発明の目的は、魚の警戒感を和らげて食いつきを良好にするとともに、魚信に敏感に反応できる天秤を提供することである。
【課題を解決するための手段】
【０００５】
前記目的を達成するため、請求項１記載の発明は、一の弾力性のある線材を逆Ｌ字形状に屈曲してなり、一端部に錘取付部、他端部に仕掛取付部をそれぞれ設け、前記屈曲された線材の部分に道糸部を取り付ける取付穴を有することを特徴とする釣り用天秤である。
である。
【発明の効果】
【０００６】
天秤の仕掛けに魚が食いついたとき、道糸の移動量が少なく、仕掛けの移動量が大きいため、魚が抵抗を感じることが少なく、食いつき時の違和感を感じ難いため、魚の警戒感が低減できる。そのため、魚の食いつきが良くなる効果がある。
また、魚が餌に食いついた後、釣り人が道糸を引いたときには、道糸と仕掛けの移動量が概ね同様なので、当たりをダイレクトに感じることができ、水中での魚信を正確に竿に伝達する効果がある。
【発明を実施するための最良の形態】
【０００７】
本発明実施形態の釣り用天秤１について図１〜図４を参照して説明する。釣り用天秤１は、図１〜３に示す通り、針金等の一本の弾力性のある線材を逆Ｌ字形状に屈曲してなるものであり、第１線材２と、屈曲部３を介して第１線材２に直交する第２線材４とを備えている。第１線材２の自由端部には錘５を取り付ける環状の錘取付部６、第２線材４の自由端部に仕掛け７を取り付ける環状の仕掛取付部８をそれぞれ設け、屈曲部３に道糸部９を取り付ける取付穴１０を有することを特徴とするものである。
第１線材２と第２線材４の長さの比率Ａ：Ｂは、０．５〜１：０．５〜１が好ましく、特に１：１．５が好ましい。
以上のように釣り用天秤１が構成されているので、図２及び図３に示す通り、錘５の影響を小さくすることができる。
【０００８】
図２に示す通り、魚が仕掛け７に食いついたとき、仕掛け７が魚に引っ張られるが、そのとき、仕掛け７の移動量Ｃに対して道糸部９の移動量Ｄが小さいので、抵抗が少なく魚の警戒心が和らぐ。これにより魚の警戒が緩み、魚の食いつきが良くなる効果がある。
【０００９】
図２で魚を釣った以後、図３に示す通り、釣人が道糸部９を引っ張った場合、仕掛け７の移動量と道糸部９の移動量がほぼ同等であるので、釣り人には魚の魚信がダイレクトに感じられ、引きが直接竿に来る効果がある。
【００１０】
釣り用天秤１の屈曲部３の変更形態としては、図４（ａ）〜（ｅ）に示す通り、屈曲部３−１〜屈曲部３−４の種々のものが可能である。
図４（ａ）の屈曲部３は、円形ループを外側に形成したものである。図４（ｂ）の屈曲部３−１は、円形ループを内側に形成したものである。図４（ｃ）の屈曲部３−２は、ループを多重に形成したものである。図４（ｄ）の屈曲部３−３は、非円形の環状ループを接合したものである。図４（ｅ）の屈曲部３−４は、非円形の環状ループを接合し、第１線材２の延長線上に伸張させたものである。長さＥ：Ｆは０〜０．３：１が好ましい。長さＥは屈曲部３−４の長さ、長さＦは第１線材２の長さである。
【産業上の利用可能性】
【００１１】
本発明は釣り用天秤であり、簡単な構造でも魚の警戒を解き、魚信の感度のよいものを提供できる。
【図面の簡単な説明】
【００１２】
【図１】本発明実施形態の釣り用天秤１の正面図である。
【図２】本発明実施形態の釣り用天秤１の作用説明図である。
【図３】本発明実施形態の釣り用天秤１の作用説明図である。
【図４】（ａ）〜（ｅ）は、本発明実施形態の屈曲部３及び各種変更形態の正面図である。
【符号の説明】
【００１３】
１・・・釣り用天秤    ２・・・第１線材    ３・・・屈曲部    ４・・・第２線材    ５・・・錘    ６・・・錘取付部
７・・・仕掛け  ８・・・仕掛取付部    ９・・・道糸部    １０・・・取付穴
【図１】
2005073676.tif 000003
【図２】
2005073676.tif 000004
【図３】
2005073676.tif 000005
【図４】
2005073676.tif 000006
(57)【要約】【課題】ブロック化していないそぼろ状の鶏挽肉加熱加工品を得る。【解決手段】鶏挽肉を液中に分散した後熱湯でボイルする事によって、ブロック化せずそぼろ状の加熱済み鶏挽肉を得ることができた。【選択図】なし【特許請求の範囲】
【請求項１】
生の鶏挽肉を液中に分散させてから７０〜１００℃のボイル処理を施す事を特徴とする、そぼろ状鶏挽肉加熱加工品の製造方法。
【請求項２】
鶏挽肉を分散させる液が、０.１〜５．０重量％食塩水であることを特徴とする、請求項１記載のそぼろ状鶏挽肉加熱加工品の製造方法。
【請求項３】
請求項１及び２の方法を用いて製造されたそぼろ状鶏挽肉加熱加工品を含む加工食品。
【発明の詳細な説明】
【技術分野】
【０００１】
本発明は、加工食品の原料として使用しやすい鶏挽肉加熱加工品の製造方法に関するものであり、更に詳しくは、そぼろ状にほぐれていて扱いやすく、他の食材とのなじみもよい鶏挽肉加熱加工品に関するものである。
【背景技術】
【０００２】
従来より、鶏挽肉は比較的安価な動物性たんぱく食材としてハンバーグ、つくね、調理ソースの素など、様々な加工食品の原料として広く使用されてきた。このなかで、そぼろ状で利用するものとしては、あんかけの素、炒めもの用ソース、煮物用ソースなどのような調理ソースの素があげられる。鶏挽肉は、それ単体でボイルするとそぼろ状にくずれず団子状にブロック化してしまう。そのため、そぼろ状の鶏挽肉を得るためには、まず鶏挽肉を油、あるいは他の原料と炒めてそぼろ状にしたり、急速凍結したものをボイルしたものなどが利用されてきていた。しかしながら、炒める方法だと、焦げ付かせないために大量の油を必要とするため油を多く含んだ鶏挽肉加熱加工品となり、利用できる加工食品の幅が狭くなってしまう。また、そぼろ状に急速凍結させる方法も、挽肉にした後いったん急速凍結させる工程が必要となり効率が悪く、急速凍結機が必要となるため加工できる工場が限定される。
【発明の開示】
【発明が解決しようとする課題】
【０００３】
そこで、本発明においては生の鶏挽肉を用いて、そぼろ状にボイル加工した鶏挽肉加工品の製造方法を提供することを課題とする。
【課題を解決するための手段】
【０００４】
本発明者らの研究の結果、生の鶏挽肉を液中に分散させた後７０〜１００℃の熱湯でボイルすることによって、ブロック化しないそぼろ状の鶏挽肉加熱加工品を得ることができることを見出し、本発明を完成するに至った。
【発明の効果】
【０００５】
本発明によれば、そぼろ状で団子状にならない鶏挽肉加熱加工品を得ることができる。また、この鶏挽肉加工品を用いて外観の好ましい加工食品を得ることができる。
【発明を実施するための最良の形態】
【０００６】
本発明で用いる原料について説明する。鶏挽肉は特に部位を限定せずもも肉、むね肉、ささみなど、あるいはこれらの混合物でもよい。ひき肉の直径は特に限定するものではなく、最終製品で希望する大きさで挽けばよい。
【０００７】
分散させる液は水、食塩水、糖類、エキス類、香辛料などを含む調味液など、粘性が低く挽肉を分散させることができるものであれば特に限定するものではない。なお、分散させる液に０．１〜５．０重量％（以下、％と省略する）の食塩水、好ましくは０．１〜２．０％の食塩水を用いると鶏挽肉に適度な塩味がつき風味が良好となる。
【０００８】
分散させる液に対する鶏挽肉の比率は１０〜３００％、更に好ましくは５０〜２００％が好ましい。１０％に満たないと分散液の比率が高いため一回の処理でボイルできる挽肉の量が限られてしまい、反対に３００％を超えると挽肉がうまく分散せずボイルする際にブロック化してしまう可能性がある。また温度も、０〜２５℃、更に好ましくは０〜１０℃が好ましい。２５℃以上だと、ボイル処理するまでに増菌して鶏挽肉の品質が劣化する可能性がある。
【０００９】
本発明の鶏挽肉加熱加工品は、水に分散させた鶏挽肉を分散液ごとボイルすることによって製造することができる。ボイルする際は、例えば７０〜１００℃、１〜１０分程度の条件で撹拌しながら加熱することが望ましい。上記の条件によれば、鶏挽肉が均一にほぐれ、加熱ムラも最小限に抑えることができる。ボイル済みの鶏挽肉は湯をきり、すぐに使用しない場合はよく冷却して冷蔵、あるいは冷凍保存をする。
【実施例】
【００１０】
以下、実施例を挙げて本発明を詳細に説明するが、本発明は以下の実施例のみに限定されるものではない。
【００１１】
（実施例１）
鶏むね肉を直径５mmのチョッパーで挽く。この挽肉１５Kgに１０℃の水１０Kgを加えあらかじめ分散させておく。ニーダーに９０℃以上の湯を１００Kg沸かし、水に分散させた挽肉を水毎投入し２分間ボイルするした後ざるにあけて湯をきった。得られた鶏挽肉加熱加工品は、ブロック化しておらずそぼろ状で扱いやすく、品質の良いものであった。また、この鶏挽肉加熱加工品を冷凍保存しておき使用する際に解凍したが、冷凍前と同様にそぼろ状で扱いやすく、品質の良いものであった。
【００１２】
上記鶏挽肉加熱加工品を容器に充填し、調味、レトルト殺菌、ホットパック処理、冷凍等の加工を行うことにより、均一にほぐれた鶏挽肉を含む加工食品を得ることができた。
【００１３】
（比較例１）
鶏むね肉を直径５ｍｍのチョッパーで挽く。ニーダーに９０℃以上の湯を１００Kg沸かし、鶏挽肉１５Kgを投入し２分間ボイルした後ざるにあけて湯をきった。得られた鶏挽肉加熱加工品はブロック化しており、加熱中及び加熱後にへら等でくずそうとしても、そぼろ状にくずれずブロック化したままであった。
【００１４】
（比較例２）
鶏むね肉を直径５ｍｍのチョッパーで挽く。ニーダーに１００Kgの水をいれて鶏挽肉１５Kｇを投入し分散させてから加熱を開始し、９０℃達温後２分間保持した後ざるにあけて湯をきった。得られた鶏挽肉加熱加工品は、ブロック化しておらずそぼろ状で扱いやすいが毎回水を交換して加熱しなおさなければならず、作業効率が悪い。
(57)【要約】      （修正有）【課題】手軽にムース、ホイップ状（泡状）の食品を作れるエアゾール缶を使用した泡状食品の提供。並びに２種類の泡状食品を収納し、個別に噴出できるエアゾール缶の提供。【解決手段】エアゾール缶に食品（チョコレート原料等、乳製品等）を充填し噴出させることで簡単手軽にムースおよびホイップ状（泡状）の食品を作り出すことができる。エアゾール缶の内部容器を２種類に分ける構造とし、その各々に噴出部（ノズル等）を設ける。またキャップ式の形状の異なる様々なノズルを付加することによって、よりバリエーションのある新しい食品ができる。【選択図】図１
2005073684.tif 000002
【特許請求の範囲】
【請求項１】
エアゾール缶を用いてその内容物に食品（チョコレート原料等）を充填し、家庭で簡単にムースおよびホイップ状（泡状）に噴出させ食することのできる泡状食品。
【請求項２】
「請求項１」の泡状食品を多様に噴出作りだすことのできるエアゾール缶の構造。
【請求項３】
「請求項１」の泡状食品を多様に噴出作り出すことのできるエアゾール缶の噴出部（ノズル）形状とその機能。
【発明の詳細な説明】
【発明の詳細な説明】
【発明が解決しようとする課題】
【０００１】従来、家庭においてムース、ホイップ状（泡状）食品を作成する場合は泡立て機のようなものを用いて作り出す方法しかなく、いつでもどこでも簡単に手軽にまた子供が楽しみながら作ったり食したりすることのできるような道具や食品もなかった。
【課題を解決するための手段】
【０００２】上記目的を達成するためにエアゾール缶の内容物に食品を充填しムース、ホイップ状（泡状）に噴出させる。ひとつのエアゾール缶内部を２つに区切ることでその中へ各種の異なる内容物を入れられる構造と、噴出部（ノズル）を２つに分けた構造にすることで、１つのエアゾール缶から多種類のムース、ホイップ状（泡状）食品が噴出でき、また噴出部（ノズル）の形状を筒状だけではなく、キャップ式で脱着可能なノズルなどの機能を付加させたものや、ノズルの形状自体を多種形状に変化させる。
【発明の効果】
【０００３】エアゾール缶の内容物に食品を使用することで、いつでもどこでも手軽にまた子供でも楽しく簡単にムース、ホイップ状（泡状）の食品物を作り出すことができるようになる。またひとつのエアゾール缶内部の構造を２つに区切ることと噴出部（ノズル）を２穴（２つ）にすることで１種もしくは別の１種そして２種混合というような３種類の噴出物を作り出せるようになり、１缶でも多様な楽しさが生まれる。また噴出部（ノズル）の形状も多種形状に変化させることで噴出物の形状も様々に変化させることができる。これらにより単にエアゾール缶の内容物を食品にしたことでムース、ホイップ状（泡状）の食品が手軽に作成または食することのできるムース、ホイップ食品にとどまらず、大人から子供または業務用においてなど、いつでもどこで手軽に楽しく創造性に富んだムース、ホイップ状（泡状）の食品を楽しめるようになる。またこの発明の使用例としては、２つに区切られたエアゾール缶内部の一方にホワイトチョコレートを内容物とし、もう一方にブラック・ミルクなどのチョコレートを内容物として入れ２つの噴出部（ノズル）をつけた場合、ひとつの噴出部を使用してはホワイトチョコレートのムースが噴出され、もうひとつの噴出部を使用してブラック・ミルクなどのチョコレートのムースが噴出され、２つの噴出部（ノズル）を同時に使用することでマーブル状のチョコレートの混合された噴出物ムース状（泡状）チョコレートを作り出すことができる新しいチョコレート食品が生まれる。
【図面の簡単な説明】
【図１】エアゾール缶本体の透視図
【図２】２穴脱着式円筒噴出部（ノズル）の図
【図３】２穴脱着式星（花）型噴出部（ノズル）の図
【図４】２穴脱着式半円筒噴出部（ノズル）の図
【図５】脱着式ノズルとエアゾール缶本体離脱時の図
【符号の説明】
１      ノズル
２      缶内部容器
３      内容物Ａ
４      内容物Ｂ
５      缶内部容器しきり
６      缶本体外部容器
７      内部加圧ガス
８      エアゾール缶本体
９      エアゾール缶本体噴出部
【図１】
2005073684.tif 000003
【図２】
2005073684.tif 000004
【図３】
2005073684.tif 000005
【図４】
2005073684.tif 000006
【図５】
2005073684.tif 000007
(57)【要約】【課題】  イカが多く含む栄養分に、トマトと野菜の栄養、リコピン、カリウム、ビタミンを吸わせたイカの沖漬けを提供する。【解決手段】  トマト野菜汁に１０％未満の塩と辛み成分唐辛子、酢、ニンニクを混合させた液の中に生きたイカを漬け込んだ事を特徴とする。【選択図】  図１
2005073688.tif 000002
【特許請求の範囲】
【請求項１】
トマトの野菜汁に１０％未満の塩と辛み成分唐辛子、酢、ニンニクを混合させた中に生きているイカを漬け込んだ事を特徴とする、トマト味イカの沖漬け。
【発明の詳細な説明】
【発明の詳細な説明】
【技術分野】
【０００１】  本発明は、イカが多く含む栄養分に、トマトと野菜のリコピン、カリウム、ビタミンを加えたイカの沖漬けに関するものである。
【背景技術】
【０００２】  従来、イカの沖漬けは生きている状態でタレに漬け込むため内臓（ゴロ）がタレを吸い込みイカ全てにタレがしみこみ残す事無くイカ全てを食していた。
【発明が解決しょうとする課題】
【０００３】これには次のような欠点があった。
（イ）  生臭い、しょっぱい、見た目においしくなさそうなどの欠点があった。
本発明は、以上の欠点を解決するものである。
【課題を解決するための手段】
【０００４】  トマト野菜汁に１０％未満の塩と唐辛子成分、酢、ニンニク、を混合させる。そして生きたままのイカを混合させた液の中に漬ける。
本発明は、以上の構成よりなるトマト味イカの沖漬けである。
【発明を実施するための最良の形態】
【０００５】以下、本発明の実施の形態を説明する。
（イ）  トマト野菜汁１，０００ｇに１０％未満の塩を入れ、さらに辛み成分唐辛子２％以上、酢１００ｇニンニク５０グラムを添加して、混合液を作る。
（ロ）  その後、混合液の中に釣ったばかりの生きたいかを１２時間漬け込む。
（ハ）  イカが生きている事で混合液を肝臓（ゴロ）が吸い込む。
（ニ）  混合液を吸い込んだイカを１本ずつ真空パックする。
（ホ）  冷凍保存する。
本発明は、以上の構成よりなるトマト味イカの沖漬けである。
これを使用するときは、あらかじめ袋に入れ凍らせてあるイカを袋からだし、軽く解凍し、１口に切りそのまま食したり、オリーブオイルで炒めチーズをのせてオーブンで焼いたり、カレーやパスタに内臓がついたまま入れたりと、他の料理にもいろいろ利用できる。
本発明の実施の形態では、トマトジュースを例に説明したが、ベジタブルジュース、柚子しょうゆ、梅酢、梅シソ酢、などにして同様に製造できる。
又、イカ同様、魚貝類もトマト野菜汁の混合液やベジタブルジュース、柚子しようゆ、梅酢、梅シソ酢に漬け込み乾燥機を用い乾燥させ、珍味として食することも出来る。
【発明の効果】
【０００６】    イカが多く含む栄養分には、コレステロール低下作用があるほか、ガン、アギー、糖尿病などに効果があるとされている。イカに無いトマトや野菜の栄養分、カリウム、リコピン、ビタミンをすわせる事で計り知れない栄養分をとることが出来る。
【図面の簡単な説明】
【図１】本発明の製造工程を示す図である
【図２】本発明の使用状態を示す図である
【図３】本発明の製造工程を示すフロチャート図である。
【符号の説明】
１  トマト野菜汁混合液
２  イカ
３  真空袋
【図１】
2005073688.tif 000003
【図２】
2005073688.tif 000004
【図３】
2005073688.tif 000005
(57)【要約】      （修正有）【課題】本体すべてを軽量に構成し、多数の設置も可能で、特に野鳥の大群に好適な動物の威嚇追い払い器の提供。【解決手段】プラスチック製の本体１を円筒とその下部に連なる裁頭逆円錐筒で形成し、その下に金網製の円筒形状で、引火した爆竹を受ける金網２を設ける。本体１の内側上部に渦巻き線香と爆竹をしかける受け皿４を設ける。受け皿４の底には爆竹の取付け穴が多数あり、その上に本体１への熱伝導がないようにする為の鋸刃型の受け部を上向きに立てた線香の受け部材を格子型に並べて取り付けている。爆竹を取付ける穴を適宜選択することで、線香による引火時期を自在に調整できる。爆竹は金網の中で爆発するので火の粉が飛び散ることがなく、どこに設置しても安全である。【選択図】図１
2005073690.tif 000002
【特許請求の範囲】
【請求項１】
最小つり型用に渦巻き線香と爆竹をしかける物体、渦巻き線香の受け皿の底に熱傅導０を目的とした鋸刃型を上向きに立つ格子型に受け皿の底に取り付けて、その格子型刃の上に渦巻き線香をのせて、火をつけると熱傅導がなく火は消火しないのが特徴である。
【発明の詳細な説明】
【発明の詳細な説明】
【技術分野】
【０００１】本発明は、山、野、田畑に動物、イノシシ、クマ、野鳥類が出てくるのを渦巻き線香から爆竹に引火、最短時間は自由に調整引火することができる。
【背景技術】
【０００２】これまでは、動物は狩猟、野鳥はガスで爆発音を出して追い払っていた。
【発明が解決しようとする課題】
【０００３】従来のガスの音は大きいが、鳥が慣れやすい。本よるなの音は爆竹であるがゆえに飛び去る。
【課題を解決するための手段】
【０００４】本物体よるなは、時間の間隔を調整できること。
【発明を実施するための最良の形態】
【０００５】  本よるなは、プラスチックの本体の下部に渦巻き線香から引火した爆竹が金網の中で爆発するので火粉又はゴミなど周辺に飛び散らない。
【実施例】
【０００６】  以下、添付図面に従って実施例を説明する。１．はプラスチック製、２．は爆竹が引火して落ちる金網、３．は屋根芯上部にかけがね、４．は渦巻き線香を入れる受け皿、５．は渦巻き線香の受け皿を止めるネジ。【０００７】よるな本体は、木の枝、杭、藪の中、いたる所でも爆発しても金網の中で爆発するので火粉が散らない。
【課題を解決するための手段】
【０００８】  本発明の実施例は上述の如き構成からなるものであるから、夜昼とわず、１回火をつけるだけ簡単である。
【発明の効果】
【０００９】  上記のように、本発明のよるなは、軽くて小さく夜は動物のはらい番役、昼は野鳥の追い払い役で安心した農家が増える。
【図面の簡単な説明】
【図１】  本発明の全上部からの平面図である。
【図２】  本発明のよるなの断面図である。
【図３】  本発明のよるなの側面図である。
【図４】  本発明の渦巻き線香の受け皿の平面、断面図である。
【符号の説明】
１．よるな本体
２．爆竹が引火して落ちる金網。
３．屋根芯上部にかけがね。
４．渦巻き線香を入れる受け皿。
５．渦巻き線香を入れる受け皿を止めるネジ。
６．渦巻き線香の受け皿
【図１】
2005073690.tif 000003
【図２】
2005073690.tif 000004
【手続補正書】
【提出日】平成16年7月25日(2004.7.25)
【手続補正１】
【補正対象書類名】明細書
【補正対象項目名】全文
【補正方法】変更
【補正の内容】
【発明の詳細な説明】
【技術分野】
【０００１】本発明は、農家又は人里に出没する、クマ、イノシシ、野鳥類を渦巻線香で爆竹に引火  爆音でよせつけない。
【背景技術】
【０００２】これまでは、狩猟、又はかがし、ガス音である。
【発明が解決しようとする課題】
【０００３】従来のガス音は鳥が慣れやすい、本よるなの音は爆竹であるので鳥をよせつけない。
【課題を解決するための手段】
【０００４】本、よるなは時間の調整ができる。
【発明を実施するための最良の形態】
【０００５】本よるなは、本体上部で渦巻線香により、爆竹に引火して、下部金網籠の中で爆発するので、火粉又はゴミなど周辺に散らない。
【実施例】
【０００６】以下、添付図面に従って実施例を説明する。１．上部による姿２．側面姿３．立体側面４．突起を置く受皿５．突起６．爆竹取付前ノ平面図７．爆竹取付Ａ・Ａ断面図８．▲Ａ▼拡大図【０００７】よるな本体は、木の枝、藪の中、いたる所で爆発しても金網籠の中であるため火粉が散らない。
【課題を解決するための手段】
【０００８】本発明の実施例は上述の如き構成からなるものであるから、昼夜とわず、１回火をつけるだけで簡単である。
【発明の効果】
【０００９】上記のように、本発明よるなは、軽くて小さく夜は動物をよせつけなく昼は、野鳥の追い払いで農家の人は手間がはぶける。
【図面の簡単な説明】
【００１０】
【図１】上部からの平面図
【図２】よるな本体姿図
【図３】Ａ・Ａ断面図
【図４】渦巻線香受皿平面図
【図５】渦巻線香突起Ａ・Ａ断面図
【図６】爆竹取り付け前の平面図
【図７】爆竹取り付けＡ・Ａ断面図
【図８】▲Ａ▼拡大図
【符号の説明】
【００１１】  １．屋根  ２．本体外壁  ３．金網籠  ４．受皿，突起  ５．Ａ・Ｂの止メ金  ６．煙穴  ７．爆風止メ  ８．受皿止メネジ  ９．吊金１０  突起１１．爆竹落下口１２．爆竹通し穴１３．渦巻き線香１４．補強線香下貼紙１５．導火線１６．爆竹１７．爆竹落下止メ切目
【手続補正２】
【補正対象書類名】特許請求の範囲
【補正対象項目名】全文
【補正方法】変更
【補正の内容】
【特許請求の範囲】
【請求項１】
本、発明よるなは、渦巻線香を利用とするもので、線香の消火を防止する為の突起を特長とするもの。
【請求項２】
線香受皿、補強貼り紙、渦巻線香、三重に穴を爆竹導火線を通し線香上部に切り目をいれて線香上部に倒し爆竹の落下を止め引火をまつ。
【手続補正３】
【補正対象書類名】図面
【補正対象項目名】全図
【補正方法】変更
【補正の内容】
【図１】
2005073690.tif 000005
【図２】
2005073690.tif 000006
【図３】
2005073690.tif 000007
【図４】
2005073690.tif 000008
【図５】
2005073690.tif 000009
【図６】
2005073690.tif 000010
【図７】
2005073690.tif 000011
【図８】
2005073690.tif 000012